(57)【特許請求の範囲】
【請求項１】
カメラ取付装置であって、
前記カメラ取付装置に搭載されたカメラのレンズを支持するためのレンズ支持拡張手段と、
前面、後面、および、前記レンズ支持拡張手段に接続するヒンジ接続部、を含むシャシーと、
前記シャシーの後面に配置され、厚さ未定のストラップに接続するバックルと、
前記シャシーの前面に搭載可能で、カメラにシューを確実に固定する取付具を含む前記シューと、
前記シャシーから前記シューを取り外すクイック取り外し起動手段と、
を備えることを特徴とするカメラ取付装置。
【請求項２】
前記レンズ支持拡張手段に接続可能で、前記カメラ取付装置に搭載されたカメラの少なくとも一部を取り囲むように構成された１つ以上のストラップを、さらに備える
ことを特徴とする請求項１に記載のカメラ取付装置。
【請求項３】
前記１つ以上のストラップのうち少なくとも１つは、ユーザの体の部分を囲むサイズである
ことを特徴とする請求項２に記載のカメラ取付装置。
【請求項４】
前記レンズ支持拡張手段は、前記１つ以上のストラップを中に入れる１つ以上のスロットを有する
ことを特徴とする請求項２に記載のカメラ取付装置。
【請求項５】
前記バックルは、垂直ストラップに前記シャシーを接続するように構成されたストラップバックルである
ことを特徴とする請求項１に記載のカメラ取付装置。
【請求項６】
前記バックルは、水平ストラップに前記シャシーを接続するように構成されたベルトバックルである
ことを特徴とする請求項１に記載のカメラ取付装置。
【請求項７】
前記取付具は、カメラの三脚コネクタに受け入れられるサイズ設定をされたネジを含む
ことを特徴とする請求項１に記載のカメラ取付装置。
【請求項８】
カメラをストラップに取り付けるカメラ取付方法であって、
シューと一体化された取付具を用いて、前記カメラに前記シューを固定し、
バックルを用いて、カメラ取付装置のシャシーの後面にストラップを取り付け、
前記シャシーの前面に設けられたシュー取付位置の内部に前記シューを挿入し、前記シューと前記カメラを前記シャシーと前記ストラップに固定し、
前記シャシーのヒンジ接続部に接続されたレンズ支持拡張手段によって前記カメラのレンズを保持する
ことを特徴とするカメラ取付方法。
【請求項９】
さらに、クイック取り外し起動手段を起動し、前記シューと前記カメラを前記カメラ取付装置のシャシーから取り外す
ことを特徴とする請求項８に記載のカメラ取付方法。
【請求項１０】
さらに、前記カメラに１つ以上のストラップを取り付け、前記１つ以上のストラップを前記カメラ取付装置に固定する
ことを特徴とする請求項８に記載のカメラ取付方法。
【請求項１１】
前記１つ以上のストラップを前記カメラ取付装置に固定する場合、
１つのストラップを、レンズ支持拡張手段のスロット内に挿入する
ことを特徴とする請求項１０に記載のカメラ取付方法。
【発明の詳細な説明】
【技術分野】
【０００１】
本出願は、カメラをストラップに確実に取り付ける装置と方法に関する。特に、本出願は、クイック取り外し機構を含み、ベルトやストラップにカメラを取り付ける装置と方法に関する。
【背景技術】
【０００２】
カメラ（特にデジタルカメラやアナログＳＬＲ（一眼レフ）カメラ）を運ぶための多くのバッグ、ストラップや、様々な他の種類の運搬手段が存在する。
【発明の概要】
【発明が解決しようとする課題】
【０００３】
しかし、これらの道具には、一般に、いくつかの欠点がある。いくつかの道具は、運搬の間、カメラを十分に固定しない。それにより、ユーザの手によってカメラが固定されないと、カメラを損傷するおそれがある。他の道具は、カメラを確実に固定するが、即時にカメラを使うことができない。バッグやストラップからカメラをはずすのに必要な時間の間に起きている出来事を写真撮影する機会を、ユーザは逸する。これらの理由やその他の理由により、改善が望まれている。
【課題を解決するための手段】
【０００４】
以下の開示の通り、上記した問題や他の問題は、以下の手段によって解決される。
第１の特徴では、カメラ取付装置が開示される。カメラ取付装置は、前面と後面があるシャシーを含む。シャシーは、レンズ支持拡張手段のためのヒンジ接続を含む。カメラ取付装置は、シャシーの後面に配置され、厚さ未定のストラップへの接続のために構成されたバックルを含む。カメラ取付装置は、また、シャシーの前面に装着可能なシュー（外部装置の取付部分）を含む。そのシューは、シューをカメラに確実に固定するように構成された取付具と、シューをシャシーから取り外すように構成されたクイック取り外し起動手段を含む。
【０００５】
第２の特徴では、カメラをストラップに付ける方法が開示される。その方法は、シューと結合している取付具を使ってシューをカメラに取り付け、バックルを使ってカメラ取付装置のシャシーをストラップに取り付けることを含む。その方法は、また、シャシー内のシュー取付位置にシューを挿入して、シューとカメラをシャシーとストラップに取り付けることを含む。
【０００６】
更なる特徴では、カメラ取付装置が開示される。カメラ取付装置は、前面と後面があるシャシーを含む。カメラ取付装置は、また、シャシー上の指定されたスロット内に滑り込むシューを含む。シューは、規格１／４”の直径でインチあたり２０個のネジ山のマウントを用いて、どんなカメラにでも取り付けられる（以下「１／４−２０」接続と称する。）。シューとカメラは、クイック取り外し機構によってシャシー内で指定されたスロット内にロックされる。シューとカメラは、シャシーの側におけるユーザによって起動されたボタンにより、クイック取り外し機構から取り外される。
【０００７】
また、更なる特徴では、装置をストラップに取り付ける方法が開示される。その方法は、バックプレートと呼ばれる装置の第３の構成要素を含む。厚さ未定のストラップは、シャシーとバックプレートの間に挟まれている。シャシーとバックプレートは、シャシーとバックプレートの水平方向の端に配置された２本のネジによって、一緒に圧縮される。ネジは、シャシー内のはっきりした穴を貫通し、バックプレート上のメス型ネジ受け部まで達する。ネジが締められてシャシーとバックプレートの間の圧縮力を増やし、任意のストラップへの確実な接続が提供される。
【図面の簡単な説明】
【０００８】
【図１】本開示の可能な実施形態によるカメラ取付装置の正面図である。
【図２】図１のカメラ取付装置の右側面図である。
【図３】図１のカメラ取付装置の背面図である。
【図４】シューが取り除かれた状態の図１のカメラ取付装置の右上等角図である。
【図５】ストラップバックリング装置が除かれた状態の図１のカメラ取付装置の後部の等角斜視図である。
【図６】本開示のさらに可能な実施形態によるカメラ取付装置の正面図である。
【図７】図６のカメラ取付装置の背面図である。
【図８】図６のカメラ取付装置のレンズ支持拡張手段の部分的な等角図である。
【図９】本開示の可能な実施形態によるバックパックストラップに取り付けられ、カメラを保持しているカメラ取付装置の斜視図である。
【図１０】本開示の可能な実施形態によるカメラを保持している間、ベルトに取り付けられているカメラ取付装置の斜視図である。
【図１１】本開示の可能な実施形態によるカメラ取付装置の右上等角図である。
【図１２】シューが取り除かれ、シャシーへの移動の通り道が示されている図１１のカメラ取付装置の底面等角図である。
【図１３】図１１のカメラ取付装置の後部の等角図である。
【発明を実施するための形態】
【０００９】
本発明の様々な実施形態は、図面を参照して詳細に説明される。複数の図面を通じて、同じ参照符号は、同じパーツやアセンブリを表す。様々な実施形態への言及は、本発明の範囲を限定しない。本発明は、添付した特許請求の範囲のみによって、限定される。さらに、本明細書で述べられる任意の実施形態は、本発明を、多くの可能な実施形態の中からいくつかに限定することを意図しているのではなく、単にそれらのいくつかを示すだけのものである。
【００１０】
一般用語では、本開示は、バックパック（背負い袋）ストラップ、他のストラップ、または、ベルトに対してカメラを固定し、そして、クイック取り外しアタッチメントを利用するために主に有用なカメラ取付装置に関するものである。カメラ取付装置の様々な実施形態は、ストラップに取り付けられ、「シュー」を受け入れる構造シャシーと、多様な、あるいは、厚さ未定のストラップにシャシーを確実に固定するバックルと、カメラにねじこまれ、シャシー内の対応するスペース内に滑り込むかあるいは係合するシューと、シューをシャシーから取り外すためのクイック取り外し機構と、カメラ本体から延出するレンズ（例えばＳＬＲ−タイプのカメラのレンズ）を、ストラップを用いて確実に固定するヒンジ拡張手段と、を含む複数の構成要素を含む。
【００１１】
図１は、カメラ取付装置１００の正面図である。カメラ取付装置１００は、カメラシュー１０２を含むシャシー１０１を備える。シャシー１０１は、カメラを取り付け可能な前側主要面（前面）と、ストラップに取り付ける後側主要面（後面）と、を有する。図１において、シャシー１０１は、カメラシュー１０２を内部で留めた状態で示されている。シャシー１０１は、シュー接続位置でカメラシュー１０２を保持し、さらに、ストラップバックル１０３かベルトバックル１０８を用いて、バックパックストラップかベルトに確実に接続される（図５を参照して以下で説明）。レンズ支持拡張手段１０５は、シャシー１０１に結合し、それから延設している。レンズ支持拡張手段１０５は、金属ピンによるヒンジ接続を有し、シャシー１０１に接続されている。このヒンジ接続によって、レンズ支持拡張手段１０５は、ユーザの体の外形に合わせて動くことができる。
【００１２】
カメラ（例えば、図９、図１０に示されるカメラ１０）は、１／４”の取付ネジとして図示されている取付具１０６でシュー１０２に取り付けられる。他の取付具が、同様に使用可能である。図説する実施形態において、取付具１０６は、カメラの底にねじ込むためのサイズ設定と選択がなされるものであり、カメラに関する大部分の三脚システムで一般に使われるものである。クイック取り外し起動手段１０４は、シャシー１０１の一番上の端に沿って存在する。クイック取り外し起動手段１０４が押されると、シュー１０２は、上側に滑り、シャシー１０１からはずれる。図説する実施形態において、クイック取り外し起動手段１０４とそれに取り付けられているカメラシュー１０２は、シューとそれに取り付けられている任意のカメラを取り外すように構成されたスプリングが装填された装置である。クイック取り外し起動手段１０４は、タブが押されるとシューを押し出すことができる格納式のスプリング機構を含んでもよい。これにより、シューとそれに取り付けられているカメラは、シャシー１０１から素早く分離する。カメラが使われている間、シャシー１０１は、任意のストラップに対して固定されたままである。
【００１３】
図２は、カメラ取付装置１００の側面図である。この図において、レンズ支持拡張手段１０５内に２つのスロットが存在することがわかる。これらのスロットの各々は、ストラップ（例えば、図９で図示）を保持するように設計されている。ストラップは、多くの形状の任意のものでよい。特定の実施形態において、ストラップは、ベルクロ接続を含み、レンズの筒の周囲を包む。特定の更なる実施形態において、このストラップは、弾性を有する部材を含み、これにより、必要に応じて伸びてカメラレンズを確実に取り囲むことができる。ボディストラップ用スロットは、レンズ支持拡張手段を体に対してしっかり固定するために機能する。ストラップは、ユーザの胴（または、ベルト適用の場合は足）の周囲を完全に周る。このスロットは、また、ユーザの体上でバックパックの既存の胸ストラップのようなストラップを使うために（ユーザがその機能を有するパックを持っている場合）、レンズ支持拡張手段の底を介してアクセス可能である。
【００１４】
図３は、カメラ取付装置１００の背面図である。この図で示すように、カメラ取付装置１００の片側において、ストラップバックル１０３は、シャシー１０１の側面の溝にはめこむアルミニウム製の堅いピースである。ストラップバックル１０３をシャシー１０１にはめこむ位置は、ヒンジ点として働く。そして、ストラップバックル１０３の他方は、ストラップバックル１０３上の留め金の形に対応する溝の異なるセットを介して、シャシー１０１の側面に取り付けられている。これにより、ストラップバックル１０３は、それとシャシー１０１の間でストラップを堅く固定する。
【００１５】
図４は、シュー１０２が取り除かれ、クイック取り外しウェッジ１０７が見えるようにしたカメラ取付装置１００の等角斜視図である。クイック取り外し起動手段１０４が押されたとき、ウェッジ１０７はシャシー１０１の中に引っ込む。
【００１６】
図説する実施形態において、シュー１０２がシュー接続位置に挿入されると、ウェッジ１０７の斜面のために、ウェッジ１０７は自動的に引っ込む。シュー１０２の後面に空洞が形成されており、同空洞はウェッジ１０７の形に対応しており、シュー１０２がシャシー１０１のシュー接続位置内に充分に下方に下がると、ウェッジは、同空洞内に移動し、所定の場所でシューをロックする。シューを取り除くために、クイック取り外し起動手段１０４が押される。それにより、ウェッジ１０７はシャシー１０１内に引っ込み、シュー１０２を自由にする。特定の実施形態において、ウェッジ１０７の中心の下の圧縮スプリングは、ウェッジを係合位置に入るように付勢し、ウェッジ１０７がシュー１０２からはずれるのを防ぐ。
【００１７】
図５は、カメラ取付装置１００の後部の等角図を提供する。図３のストラップバックル１０３の代わりに、ベルトバックル１０８がある。ベルトバックル１０８により、本実施形態は、垂直ストラップ（例えば図９のようなバックパックストラップ）と対照的に、水平ストラップ（例えば、図１０のようなベルト）に固定できる。ベルトバックル１０８は、ストラップバックル１０３の代わりに使われる。つまり、それらは、一緒に使われることはない。図５は、また、ストラップバックル１０３とベルトバックル１０８における類似した隆起部に対応するシャシー１０１の後部の隆起部を示す。
【００１８】
図６−８は、本開示のさらに別の可能な実施形態によるカメラ取付装置２００を示す。カメラ取付装置２００は、一般に、図１−５の装置１００に類似した特徴を含むが、上記の図中に示されているレンズ支持拡張手段１０５の代わりに、異なるレンズ支持拡張手段２０５を有する。レンズ支持拡張手段２０５は、カメラのレンズを取り囲むように構成された一つ以上のストラップをレンズ支持拡張手段２０５に接続するようにサイズ設定された一対のスロットを内部に形成している。図７−８に最も良く示されているように、ユーザ（例えば、取付装置２００がベルトに取り付けられる場合の足や、取付装置がバックパックストラップに取り付けられる場合のユーザの胴）の体の部位のまわりに更なる支持バンドを接続するために、別のスロット配置がレンズ支持拡張手段２０５の後側に含まれる。
【００１９】
図９は、カメラ取付装置（例えば装置１００）がどのようにバックパックストラップへ装着されるかについて、図示する。この実施形態では、図３に示されるように、カメラ取付装置１００は、ストラップバックル１０３を介してバックパック２０のストラップに接続され、カメラレンズを下方に向けて、垂直方向に向いたカメラ１０を搭載する。他の実施形態において、他のカメラの方向は、同様に可能である。
【００２０】
図１０は、カメラ取付装置（例えば装置１００）がどのようにベルトへ装着されるかについて、視覚的に示す。この実施形態では、図５に示されるように、カメラ取付装置１００は、ベルトバックル１０８を介してベルト３０に接続され、カメラレンズを下方に向けて、垂直方向に向いたカメラ１０を搭載する。図６の配列と同様に、他のカメラ方針は、同様に可能である。例えば、特定の実施形態において、カメラの方向は調節可能である（例えば、カメラの垂直回転位置が調節可能である）。
【００２１】
図９−１０においてカメラ取付装置１００が示されているが、さらなる実施形態が類似した接続特徴（カメラ取付装置２００に関する図６−８に示されるそれらの特徴）を有しながら考えられると理解される。
【００２２】
全体として、カメラ取付装置がカメラをバックパックまたはベルトに取り付けるのに用いられ、それにより、カメラを確実に保持する一方、ユーザは、アクセスのためにクイック取り外し起動手段１０４を使ってストラップからカメラを素早く取り外すことができる。
【００２３】
図１１は、装置の機能的な部分の全てを示している装置１１００を取り付けているカメラの右上等角図である。カメラ取付装置の構成要素は、シャシー１１０１、バックプレート１１０２、カメラシュー１１０３、スプリング式クイック取り外しボタン１１０４、カメラ取付ネジ１１０６、２本の固定ネジ１１０７、および、第二の固定ネジ１１０８を含む。
【００２４】
図１２は、カメラ取付装置の底面等角図である。図１２は図１１に記載されたものと同じ構成要素を表すが、シュー１１０３はシャシー１１０１の外側にスライドしている。
【００２５】
図１３は、ストラップが挿入可能なように、バックプレート１１０２とシャシー１１０１がどのように分かれているかを示すことを意図するカメラ取付装置１１００の後部の等角図である。図１３は、クイック取り外しボタンカバー１１０５も表している。
【００２６】
カメラは、カメラ取付ネジを大部分のカメラの底面で三脚レシーバーにねじ込むことによって、シュー１１０３に取り付け可能である。この接続は、大部分のカメラの底面で設けられている規格１／４”の直径でインチあたり２０個のネジ山があるネジを用いて、行われる。他の取付具が、同様に使用可能である。図説する実施形態において、カメラ取付ネジ１１０６は、カメラについての大部分の三脚システムにおいて典型的に使われているように、カメラの底にねじ込むためのサイズ設定と選択がなされる。これは、図１１と図１２の両方で示されている。
【００２７】
シューとは別に、カメラ取付装置１１００の残りの部品は、どんなストラップにでも装着可能であり、水平または垂直である。これは、シャシー１１０１とバックプレート１１０２の間にストラップをはさみ、装置がストラップに確実に固定されるまで固定ネジを締めることによって、実現される。任意の与えられたストラップの把持は、バックプレート１１０２とシャシー１１０１の上にあるオフセットリッジ（隆起部）によって補助される。シャシー１１０１とバックプレート１１０２の間にストラップを入れるために、２つの方法の１つが使用可能である。１つの方法は、ストラップがシャシー１１０１とバックプレート１１０２の間に正しく置かれたときに、バックプレート１１０２から固定ネジを完全にはずし、それから再びそれらにネジを取り付けることを含む。装置１１００をストラップに取り付ける他のより一般的な方法は、図１１と図１２において表されている左の固定ネジ１１０７をはずし、固定ネジ１１０７の表面をシャシー１１０１内の切り取り部分の縁の上に向かせるように充分に回転させることである。左の固定ネジ１１０７が十分に上がると、シャシー１１０１は旋回してバックプレートから分離し、回転軸が図１１と図１２で表されている右の固定ネジ１１０７になる。一旦、シャシー１１０１がはずれると、ストラップはバックプレート１１０２の前に配置可能となり、シャシー１１０１は所定の場所に戻る方向に回転し、両方の固定ネジ１１０７によってストラップを固定する。
【００２８】
一旦、カメラ取付装置１１００がストラップに取り付けられ、シュー１１０３がカメラに取り付けられると、装置はすぐに使用できる状態になり、そして、ユーザはそのとき、自分の装置に自分のカメラを取り付けることができる。これは、シュー１１０３（カメラ付き）を、シャシー１１０１上の対応するスロットの中にすべり込ませることによって、実現される。図１２は、このスロットのちょうど上方にあるシュー１１０３（カメラ無し）を表す。シャシー１１０１内のスロットの中へシュー１１０３が入ると、スプリング式クイック取り外しボタン１１０４は、クイック取り外しボタンを押すことで邪魔にならないようにするような構造のシューの底面における丸い特徴部分によって接触されるクイック取り外しボタン１１０４の傾斜面の相互作用により、押されて、邪魔にならなくなる。シュー１１０３がシャシー１１０１上にスロットに完全に入ると、シュー１１０３の底における対応する切除部分により、クイック取り外しボタン１１０４はその最初の位置まですべり戻らせる。この動作は、シュー１１０３を所定の場所にロックし、シュー１１０３（および取付けられたカメラ）がシャシー１１０１からはずれるのを防ぐ。スプリング式クイック取り外しボタン１１０４がシュー１１０３の底面における対応する切除部分を邪魔しないようになるまでユーザがスプリング式クイック取り外しボタン１１０４を押すことによって、シュー１１０３はシャシー１１０１からはずされる。このスプリング式ロック機構は、スプリング機構の多くの構成によって実現される。本開示は、スプリング式ロック機構の１つの可能な実施形態だけを表している。
【００２９】
第二の固定ネジ１１０８は、以下のように、含まれ、機能する。シュー１１０３がシャシー１１０１と係合して、所定の場所にロックされると、第二の固定ネジ１１０８は、それがシュー１１０３の内部に突き出るように、時計回りに回る。シュー１１０３は、内部で切除された小さな切欠部を有し、第二の固定ネジ１１０８の形状を受け入れる。第二の固定ネジ１１０８は、シュー１１０３がシャシー１１０１からはずれるのを防ぐ追加的な手段である。第二の固定ネジ１１０８をはずすには、シャシー１１０１のボディ内に存在するスロットから第二の固定ネジ１１０８をはずすのに充分な程度に、第二の固定ネジ１１０８を単に反時計回りに回せばよい。
【００３０】
カメラ取付装置は、また、ストラップにカメラを取り付けるという主要な目的のほかに、さらなる特徴を含む。図１１と図１２において、シュー１１０３がその側から突き出ている４つのスロットを備えていることは、明白である。これらのスロットの１つのための第１の目的は、カメラストラップを取り付けることである（例えばビデオカメラにおいて同様に見られるように）。第２の目的は、シュー１１０３をシャシー１１０１に接続可能にすることである。これは、シャシー１１０１内のスロットを介してシュー１１０３における底面のスロットを接続することによって、実現される。
【００３１】
特定の取付システムがここに記述されているが、固定や圧縮の手段（バックル、ネジなど）によってカメラ運搬装置をストラップに取り付ける任意の方法が含まれると理解される。さらにまた、他のロック装置（例えば、シュー内の溝に回転および挿入されて、シューが飛び出すのを防ぐネジ）を用いてもよい。
【００３２】
様々な修正または変形が本発明の範囲や精神を逸脱しない範囲で本開示において実行可能であることは、当業者にとって明らかである。本開示の他の実施形態は、ここに明らかにされる本発明の明細書と実践を考えると、当業者にとって明らかである。
【００３３】
上記の明細書、例およびデータは、本発明の構成の製造と使用の完全な説明を提供する。多くの実施形態は本発明の精神と範囲から逸脱することなく実行可能であるので、本発明は、添付される特許請求の範囲によって決定される。
【図１】
0005850050.tif 000002
【図２】
0005850050.tif 000003
【図３】
0005850050.tif 000004
【図４】
0005850050.tif 000005
【図５】
0005850050.tif 000006
【図６】
0005850050.tif 000007
【図７】
0005850050.tif 000008
【図８】
0005850050.tif 000009
【図９】
0005850050.tif 000010
【図１０】
0005850050.tif 000011
【図１１】
0005850050.tif 000012
【図１２】
0005850050.tif 000013
【図１３】
0005850050.tif 000014